(57)【特許請求の範囲】
【請求項１】
歯を保護する部分が広い基部（１６）と狭い覆い部（１５）とを含んでなる非対称のＵ字状区画を備える手鋸用の刃の保護装置であって、
前記基部が、前記鋸の前端部に相当する前記刃の保護装置の第１の端部の前記覆い部より先に延在し、且つ鋸身の穴（１４）を貫通して挿入することができる留め金具（１９）を含み、且つ
前記刃の保護装置が第２の端部と隣接する包囲体（２１）を備えて、鋸身の目立てた刃（１２）が前記Ｕ字状区画の部分に挿入されたとき、前記刃の保護装置に対して鋸の移動を防止する、
ことを特徴とする手鋸用の刃の保護装置。
【請求項２】
前記留め金具（１９）が、前記鋸身を前記刃の保護装置に対して所定の角度を成すときだけ、前記穴（１４）を貫通して挿入できる頭部（２２）を備えることを特徴とする請求項１記載の刃の保護装置。
【請求項３】
前記包囲体が、磁石であることを特徴とする請求項１記載の刃の保護装置。
【請求項４】
前記包囲体が、摩擦によって前記鋸身を保持する弾性スナップ形であることを特徴とする請求項１記載の刃の保護装置。
【請求項５】
前記包囲体が、前記鋸身の部分を包囲する架橋形であることを特徴とする請求項１記載の刃の保護装置。
【請求項６】
前記基部（１６）が、吊り下げ部（１８）及び案内キャリアー（１７）の少なくとも一つを含んでなることを特徴とする請求項１記載の刃の保護装置。
【請求項７】
前記歯を保護する部分が、前記鋸身の目立てた刃と同様の曲率を有することを特徴とする請求項１〜６のいずれか１項に記載の刃の保護装置。
【発明の詳細な説明】
【０００１】
【発明の属する技術分野】
本発明は、手鋸用の刃の保護装置に関する。
【０００２】
【従来の技術】
手鋸は殆ど着脱可能な刃の保護装置を備えているので、鋸歯を損傷すること、及び輸送または保管の際に他の工具によって損傷することを回避できる。スウェーデン特許第４６９，１１６号に記載するように、このような刃の保護装置は、鋸の目立てた刃を押し込めるポリマー材料の輪郭を備えるように作られ、且つポリマー材料の弾性によって格納される。また、このようなポリマー輪郭部は、軽量で壁に吊るすことができるが、油あるいは熱のために摩擦が減少するので、鋸或いは類似の工具を満足させることは難しい。
【０００３】
【発明が解決しようとする課題】
本発明は鋸用の刃の保護装置に関し、従来の技術に比較して長さ方向に固定されるので鋸の重さによって保護装置から抜け落ちることを防止でき、且つその端部で壁または使用者のベルトに簡単に吊るすことができる構造になっている。
【０００４】
【課題を解決するための手段】
上記課題は、次に記載する本発明の手鋸用の刃の保護装置によって達成することができる。
本発明の手鋸用の刃の保護装置は、歯を保護する部分が広い基部（１６）と狭い覆い部（１５）とを含んでなる非対称のＵ字状区画を備える手鋸用の刃の保護装置であって、前記基部が前記鋸の前端部に相当する前記刃の保護装置の第１の端部の前記覆い部より先に延在し且つ鋸身の穴（１４）を貫通して挿入することができる留め金具（１９）を含み、且つ前記刃の保護装置が第２の端部と隣接する包囲体（２１）を備えて、鋸身の目立てた刃（１２）が前記Ｕ字状区画の部分に挿入されたとき、前記刃の保護装置に対して鋸の移動を防止することを特徴とする。
【０００５】
また、本発明の手鋸用の刃の保護装置は、前記留め金具（１９）が、前記鋸身を前記刃の保護装置に対して所定の角度を成すときだけ、前記穴（１４）を貫通して挿入できる頭部（２２）を備える。
また、本発明の手鋸用の刃の保護装置は、前記包囲体が磁石である。
また、本発明の手鋸用の刃の保護装置は、前記包囲体が摩擦によって前記鋸身を保持する弾性スナップ形である。
【０００６】
また、本発明の手鋸用の刃の保護装置は、前記包囲体が前記鋸身の部分を包囲する架橋形であることを特徴とする請求項１記載の刃の保護装置。
また、本発明の手鋸用の刃の保護装置は、前記基部（１６）が、吊り下げ部（１８）及び案内キャリアー（１７）の少なくとも一つを含んでなる。
また、本発明の手鋸用の刃の保護装置は、前記歯を保護する部分が前記鋸身の目立てた刃と同様の曲率を有する。
【０００７】
【発明の実施の形態、実施例及び発明の効果】
手鋸は、目立てた刃１２を備えた鋸身１１と、鋸身の後端部に装着した柄１３とが備わる。鋸身の前端部には、矩形の穴１４が設けらる。
刃の保護装置は、鋸身の目立てた刃１２と基本的に同様の曲率と、且つ目立てた刃１２を包囲するのに十分な間隙を備えた一般的にＵ字状の断面と、を有する刃を保護する部分を含んでなる。この断面は、好ましくは非対称であり、広い基部１６と、狭い覆い部１５とを備える。基部１６は、鋸身の前端部に相当する端部の覆い部１５より先に延在し、且つそこに吊り下げ部１８、案内キャリアー１７及び留め金具１９を含んでなる。この吊り下げ部には、保管または展示のために壁または鋸の使用者のベルトに刃の保護装置をつり下げるために、穴が設けられる。
【０００８】
案内キャリアーは、商標、カタログ番号及び使用目的、必要な材質またはステッカー等の情報を伝えるために設けられる。留め金具１９は、鋸身の厚みより長い環状の心棒と頭部２２とで形成され、この頭部が、刃の保護装置に対する位置が図１に示すように嵌め合いが可能となったときに、鋸身の穴１４を貫通して挿入されるが、しかし鋸身の位置が図２の刃の保護装置に対して固定されるときには、この穴を抜け出ることはできない。この穴１４及び頭部２２の適切な形状の実施例は、カギ穴形状の穴及び円形頭部にすることができ、角度についての正確さは必要ないが、刃の保護装置に対して鋸身を固定するために、長さ方向の移動を必要とする。別の実施例は、長く延びたスロット状の穴１４と長く延びた頭部２２とであり、これは、嵌合のために所定の相対角度と位置とを必要とする。
【０００９】
覆い部には、切り込み２０が作られ、それによって、種々の歯形状を備えた種々の鋸身が存在する場合にその歯を見ることができる。鋸の柄の付近に、歯の保護装置が包囲体２１を備え、包囲体は着脱可能な方法で刃の保護装置に鋸身の後端部を締結することができる。このような包囲体の幾つかが先行技術において既知であり、それらスウェーデン特許第４６９１１６号の磁石または弾性スナップ、或いは端性的に固着可能に包囲する架橋形である。
【００１０】
刃の保護装置を鋸身に装着するときには、鋸と刃の保護装置は、図１の適切な相対角に保持され、且つ留め金具１９の頭部２２は穴１４を貫通いて移動する。その後、下方に向かって移動を必要とする場合、鋸身の目立てた刃１２が基部１６と歯を保護する部分の覆い部１５とのあいだに挿入されるまで、鋸はステム１９の周囲を回転する。鋸身が図２に従う最終位置まで回転したとき、この位置で包囲体２１によって締結される。その後、鋸身は、壁またはベルトにつり下げることができ、または損傷の危険無く工具棚に置くことができ、或いはその他の原因で損傷を被ることがない。
【００１１】
鋸身が真っ直ぐに目立てた刃を備えるときは、刃の保護装置も真っ直ぐに作り、且つ目立てた刃が湾曲している場合は、刃を保護する装置も相当する曲率にする必要がある。吊り下げ部１８及び案内キャリアー１７は、別々にすることもでき、或いは留め金具１９を装着可能であり取り外し可能な部品にすることもできる。このような方法で、刃を保護する装置は、吊り下げ部を取り除いた種々の形状、または別の案内内容に適合させることが可能である。また、刃の保護装置付きの鋸の相対的に要求される大きさは小さくすることも可能である。
【図面の簡単な説明】
【図１】図１は、手鋸と刃の保護装置とを互いに取り外すことが可能であるときの適切な位置における手鋸と刃の保護装置を示す。
【図２】図２は、手鋸と刃の保護装置とを互いに固定したときの適切な位置における手鋸と刃の保護装置とを示す。
【図３】図３は、手鋸と刃の保護装置とを互いに固定したときの適切な位置における手鋸と刃の保護装置とを部分拡大図で示す。
【図４】図４は、刃の保護装置の端面図である。
【符号の説明】
１１…鋸身
１２…目立てた刃
１３…柄
１４…穴
１５…覆い部
１６…基部
１７…案内キャリアー
１８…吊り下げ部
１９…留め金具
２０…切り込み
２１…包囲体
２２…頭部
【図１】
0004545900.tif 000002
【図２】
0004545900.tif 000003
【図３】
0004545900.tif 000004
【図４】
0004545900.tif 000005